(57)【要約】  【課題】  着用時に肩紐による肩への負担が軽減しながらバストトップアップを図る。  【解決手段】  バストを覆うカップ本体１１の内面あるいは外面に弾性を有する分離カップ１４を設け、該分離カップ１４は、少なくともバストトップＴからカップ本体１１の下辺１１ａまでの領域の上下方向の中間領域にカップ本体１１の前部正面側から脇側へと斜上向きに湾曲させて位置させ、該分離カップ１４の前端縁１４ａをカップ本体１１の下辺１１ａの前部正面側に縫着すると共に脇側端縁１４ｃを前記カップ本体１１の脇側端縁１１ｃに縫着し、該分離カップ１４の上端部１４ｅを肩紐１７に連結している。  【選択図】  図１
2005281920.tif 000002
【特許請求の範囲】
【請求項１】
バストを覆うカップ本体の内面あるいは外面に弾性を有する分離カップを設け、
前記分離カップは、少なくともバストトップから前記カップ本体の下辺までの領域の上下方向の中間領域に通して脇側へ斜めに位置させ、該分離カップの前端縁および脇側端縁はカップ本体と縫着すると共に、脇側上端を肩紐に連結していることを特徴とするカップ部を有する衣類。
【請求項２】
前記分離カップの前端縁は、前記カップ本体の前部正面側からバストトップの真下位置の下辺の間の領域で前記カップ本体に縫着すると共に、脇側端縁を前記カップ本体の脇側端縁と縫着し、かつ、分離カップの脇上端を前記カップ本体の脇側上端よりも上向きに突出させて肩紐と連結している請求項１に記載のカップ部を有する衣類。
【請求項３】
前記分離カップは、バストトップから下ろした垂線に対して脇側へ４５°の間隔をあけて前記カップ本体の下辺に下ろしたライン上のバストトップからカップ本体の下辺までの寸法を３等分すると、少なくともその中間部を通る位置に強パワー弾性部を位置させている請求項１または請求項２に記載のカップ部を有する衣類。
【請求項４】
前記分離カップはバストトップ近傍の下部から前記カップ本体の下辺に沿った位置まで延在し、該分離カップの下辺を前記カップ本体の下辺と縫着し、かつ、該分離カップの上側部を前記強パワー弾性部とする一方、カップ本体の下辺に沿った下側部は伸縮性を持たせている請求項１乃至請求項３のいずれか１項に記載のカップ部を有する衣類。
【請求項５】
前記分離カップの強パワー弾性部は、伸縮性素材からなる分離カップ本体にパワーの強い弾性布を当て布として取り付けて設け、あるいは分離カップ本体をパワーを切り替えて設けている請求項１乃至請求項４のいずれか１項に記載のカップ部を有する衣類。
【請求項６】
前記分離カップを前記カップの外面に取り付けると共にストレッチレース布から形成し、該ストレッチレース布に強パワーのパワーネット等を当て布し、あるいは前記ストレッチレース布のデニールを切り替えて前記強パワー弾性部を形成している請求項５に記載のカップ部を有する衣類。
【請求項７】
バストを覆うカップ本体の外面にストレッチレースからなる装飾布を取り付け、該装飾布の下辺を前記カップ本体の下辺に縫着し、該装飾布にバストトップから前記カップ本体の下辺までの領域の上下方向の中間領域でカップの前部正面側から脇側へと斜上向きに湾曲させた位置に、他の部位よりも強パワー弾性部を形成し、該強パワー弾性部を肩紐に連結していることを特徴とするカップ部を有する衣類。
【請求項８】
ブラジャーからなる請求項１乃至請求項７のいずれか１項に記載のカップ部を有する衣類。
【発明の詳細な説明】
【技術分野】
【０００１】
本発明は、カップ部を有する衣類に関し、特に、乳房を上方に引き上げる肩紐（ストラップ）に加わる力を低減して、肩紐により肩がこらないようにするものである。
【背景技術】
【０００２】
従来、カップ部を有する衣類、例えば、ブラジャーでは、バストトップの位置を上方へ引き上げ、かつ胸の谷間をくっきりさせてバストを豊かに見せるために、下垂する乳房を前中心上方寄りに寄せ上げる補整機能を備えた様々なブラジャーが提案されている。
【０００３】
例えば、図１０に示すように、特開平１０−２５１９０４号公報（特許文献１）では、バストの脇側部分に当たる位置に少なくとも縦方向に伸縮性のある当て布２を、カップ部３の下部から上方にかけて縦断、あるいは下部から脇側上方にかけて斜行するように配置したブラジャー１が提案されている。前記当て布２は、バージスライン下部よりも下側と、バージスライン脇側よりも外側の二辺でブラジャー本体と固着し、上端を肩紐４と固着しているが、その他の箇所はブラジャー本体から遊離させている。
前記構成のブラジャー１は、縦方向に張力を有する当て布２が肩紐４に引っ張られ、主にバストの脇側部を面状的に引っぱり上げるため、局所的に圧迫することなくバスト全体を前中心上方に持ち上げて造形的に補整することができる。
【０００４】
また、図１１に示すように、実用新案登録第３００４０２７号（特許文献２）に開示されたブラジャー５では、肩紐８の前端からカップ部６のトップＴと外方または下辺との間の中間位置を通り前中心方向へと延びるライン７ａと、肩紐８の前端からカップ部６の外方および下辺を通り前中心方向へと延びるライン７ｂとの間に画定される領域に非伸縮性のライナー７を設けている。ライナー７は、ライン７ａ、７ｂに沿ってカップ部６に一体に縫着されている。
前記構成のブラジャー５は、着用時にライナー７が肩紐８および背面布９に直接的に引っ張られてバストの下辺および脇側端縁に沿って固定され、バストを内方に寄せながらアップさせることができる。
【０００５】
しかしながら、前記特許文献１のブラジャー１及び特許文献２のブラジャー５はいずれも、バージスライン付近のバスト底部にまで当て布２やライナー７を延在させてバストを根元から持ち上げようとしているため、このバスト底部を持ち上げる当て布２およびライナー７と連結している肩紐４、８にバスト全体の重量がかかりやすい構成となっている。  そのため、着用時に肩こりを生じたり、肩紐４、８が肩に食い込むなど、肩への負担が重くなり、不快感や痛みまで生じる点に問題があった。
【０００６】
【特許文献１】特開平１０−２５１９０４号公報
【特許文献２】実用新案登録第３００４０２７号公報
【発明の開示】
【発明が解決しようとする課題】
【０００７】
本発明は前記問題に鑑みてなされたもので、肩にかかる負担を軽減して楽に着用できるようにしながら、左右のバストを寄せ上げる造形的な機能も有するカップ部を有する衣類の提供を課題としている。
【課題を解決するための手段】
【０００８】
前記課題を解決するために、本発明は、バストを覆うカップ本体の内面あるいは外面に弾性を有する分離カップを設け、
前記分離カップは、少なくともバストトップから前記カップ本体の下辺までの領域の上下方向の中間領域に通して脇側へ斜めに位置させ、該分離カップの前端縁および脇側端縁はカップ本体と縫着すると共に、脇側上端を肩紐に連結していることを特徴とするカップ部を有する衣類を提供している。
【０００９】
バストに美麗なシルエットとするためには、バストトップに近接する下部を上方に持ち上げると共に前側正面に寄せて、バストトップを下向きに傾斜させない点が重要であり、バストトップからバスト外輪のバージスラインに沿った下辺までの全体を必ずしも持ち上げる必要はない。
この観点から、本発明では、分離カップを、少なくともバストアップに最も効果的な位置であるバストトップからバージスラインまでの領域（以下「バスト下部」という）の中間領域に配置して、脇側上方、さらに肩紐にかけて斜上向きに配置して、効率的なバストアップを図るようにしている。
即ち、バスト下部の中間部を押し上げると共に前側へ寄せると、バストトップに近接する下部のバストの肉を効果的に寄せて上げさせ、バストトップを前向且つ上向きとして美麗なバストシルエットを形成することができる。一方、特に豊満なバストの場合は、バージスラインに沿ったバスト底部を持ち上げても肉が前方に逃げて必ずしもバストトップの上昇につながらない。むしろバスト底部の持ち上げはバスト全体を根元から持ち上げることになり大きな引き上げ力を要するため、肩に余分な負担をかけることになる。
従って、本発明では、バスト下部の中間部を重点的に肩側へ引き上げる構成としていることで、肩に負担を与えない少ない力で効率的なバストトップアップを実現することができる。
【００１０】
前記分離カップは弾性を備えるとともに、少なくとも前端縁と脇側端縁を左右のカップ本体または肩紐に縫着する一方、下辺をカップ本体に縫着せずに遊離させることが好ましい。
このように、分離カップの下辺をカップ本体から遊離させると、バスト全体の重力を受ける左右カップ本体から独立し、バスト重量全体が分離カップに負荷されず、該分離カップが持ち上げる部分の重力のみがかかるため、その弾性機能を十分に発揮させてバストトップを実現できる。かつ、分離カップに連結されて該分離カップを直接的に引き上げる肩紐の引っ張り力も低減でき、肩にかかる負担が軽減されて、快適な着用感を実現することができる。
【００１１】
前記分離カップの前端縁は、前記カップ本体の前部正面側からバストトップの真下位置の下辺の間の領域で前記カップ本体に縫着すると共に、脇側端縁を前記カップ本体の脇側端縁と縫着し、かつ、分離カップの脇上端を前記カップ本体の脇側上端よりも上向きに突出させて肩紐と連結している。
上記のように分離カップをカップ本体と縫着して配置することにより、バストトップの下方から脇側上方にかけてバストトップを囲み込むように、分離カップを配置することができ、効果的にバストトップアップを行うことができる。また、分離カップをカップ本体の脇側上端よりも上方に突出させて肩紐と連結することにより、分離カップの上端位置がカップ本体の上端位置に位置決めされることなく、カップ本体から独立して分離カップの縦方向の弾性を自由に発揮させることができる。
【００１２】
前記分離カップは、バストトップから下ろした垂線に対して脇側へ４５°の間隔をあけてカップ本体の下辺に下ろしたライン上のバストトップからカップ本体の下辺までの寸法を３等分すると、少なくともその中間部を通る位置に強パワー弾性部を位置させている。
乳腺が発達するとバスト下部が膨出してくるが、その中でも脇側部分が最もボリュームアップすることから、前記位置に強パワー弾性部を配置することにより、バスト下部の脇側のうち特に中央部を強パワーで寄せ上げて、最も効果的にバストトップの引き上げと、胸の谷間の形成を図ることができる。このように、バスト下部を前記のように三等分した中央の三分の一領域に強パワー弾性部を配置することにより、効果的なバストトップアップと引き上げ力の軽減とをバランスよく両立させて実現することができる。
【００１３】
なお、前記強パワー弾性部はカップ本体の下部の前記中間部を含む広範囲に形成してもよく、その場合は、肩への負担軽減を考慮して、バスト下辺側ではなくバストトップ側に延在させることが好ましい。
【００１４】
前記分離カップはバストトップ近傍の下部から前記カップ本体の下辺に沿った位置まで延在し、該分離カップの下辺を前記カップ本体の下辺と縫着し、かつ、該分離カップの上側部を前記強パワー弾性部とする一方、カップ本体の下辺に沿った下側部は伸縮性を持たせてもよい。
即ち、分離カップをバストトップ近傍の下部からカップ本体の下辺まで広い範囲で取り付けているが、バストトップアップに有効な部分のパワーを強めて、バストトップの下部を持ち上げると共に前側へ寄せる一方、その他の部分の強パワー弾性部に追従して伸びるようにして、該分離カップに連結した肩紐に過剰な負荷がかからないようにしている。
該構成によれば、バストを下辺からバストトップにかけて段差なく滑らかな曲線でバストを寄せることができると共に、効率よくバストトップを寄せて上げることができ、しかも、肩紐にかかる負荷を低減できる。
【００１５】
前記分離カップの強パワー弾性部は、伸縮性素材からなる分離カップ本体にパワーの強い弾性布を当て布として取り付けて設け、あるいは分離カップ本体をパワーを切り替えて設けてもよい。
【００１６】
前記分離カップを、カップ本体の外面に取り付けると共にストレッチレース布から形成し、該ストレッチレース布に強パワーのパワーネット等を当て布し、あるいは前記ストレッチレース布のデニールを切り替えて前記強パワー弾性部を形成してもよい。
【００１７】
また、本発明は、通常のブラジャーにおいてカップ本体の外面を覆うように取り付けられているストレッチレースからなる装飾布に前記分離カップの機能を持たせることにより実現できる。即ち、前記装飾布の下辺をカップ本体の下辺に縫着し、該装飾布にバストトップからカップ本体の下辺までの領域の上下方向の中間領域でカップの前部正面側から脇側へと斜上向きに湾曲させた位置に、他の部位よりも強パワー弾性部を形成し、該強パワー弾性部を肩紐に連結していることを特徴とするカップ部を有する衣類も提供している。
【００１８】
前記カップ部を有する衣類はブラジャーとしても最も好適に用いられるが、ブラジャーのほか、ボディースーツ、レオタード、水着などにも適用できる。
【発明の効果】
【００１９】
上述したように、本発明に係るカップ部を有する衣類によれば、バストトップからカップ下辺までの上下方向の少なくとも中間領域に分離カップ自体、または、分離カップの強パワー弾性部を配置し、該分離カップを肩紐に連結し、肩紐に負荷される引き上げ重量は、主として前記中間領域の部分の重量として、重量低減を図っているため、肩紐に要する引き上げ力を減少でき、その結果、肩への負担を軽減して快適な着用感を実現することができる。
かつ、前記分離カップにより主として前記中間領域を引き上げているため、バストトップアップを肩への負担を軽減しながら効果的に図ることができる。
【００２０】
また、前記分離カップの縫着箇所を前端縁と脇側端縁として、下側端縁はカップ本体から遊離した構成とすると、バスト全体の重力を受けるカップ本体の押し下げ力が直接的に分離カップにかかることを回避することができる。この点からも、該分離カップを引き上げる肩紐に余分な負荷がかからないため、肩紐の食い込みや肩こりなどの不快な症状を軽減することができる。
【００２１】
さらに、バストトップから下ろした垂線に対して脇側へ４５°の間隔をあけて前記カップ下辺に下ろしたライン上のバストトップからカップ本体下辺までの寸法を三等分した中央部を通る位置に、前記分離カップの強パワー弾性部を位置させることにより、効果的なバストアップ補整と肩紐の引っ張り力の軽減とをバランスよく両立させることができる。
【発明を実施するための最良の形態】
【００２２】
以下、発明の実施形態を図面を参照して説明する。
図１乃至図４は、本発明の第一実施形態に係るブラジャー１０を示し、左右のバストを覆う左右一対の肌側カップ布１２と表側カップ布１３とからなるカップ本体１１、カップ本体１１の外面に取り付ける分離カップ１４、バージスラインに沿ってカップ本体１１より下部を覆う左右一対の土台布１６、左右一対の肩紐１７、および左右一対の背面布１８よりなる。
【００２３】
前記肌側カップ布１２は、図２に示すように、バストトップＴの上部を覆う三日月形状の上側布１２ａと、バスト下部の前部正面側を覆う略三角形状の正面側布１２ｂと、バスト下部の脇側を覆う略三角形状の脇側布１２ｃとからなり、これら上側布１２ａと正面側布１２ｂと脇側布１２ｃとを縫着して前記肌側カップ布１２を形成している。この肌側カップ布１２は不織布で形成し、その表側には、ストレッチチュールレース、あるいはツーウエイトリコットで形成した伸縮性の表側カップ布１３を周縁に一体に縫着している。なお、表側カップ布はチュールレース、シングルトリコット、ダブルトリコット等の非伸縮性布で形成してもよい。
【００２４】
前記分離カップ１４は、弾性を有するストレッチチュールレース布からなり、図１に示すように、バストトップＴ近傍の下部からカップ本体１１の下辺１１ａに沿った位置までを覆っている。詳しくは、バストトップＴからカップ本体１１の下辺１１ａまでの領域の上下方向の中間領域を含むように、カップ本体１１の前部正面側から脇側へと斜上向きに湾曲させて覆っている。前部正面側へはカップ本体１１の下端点１１ｂよりも正面側の下辺１１ａへと延在し、下方および脇側へはカップ本体１１の下辺１１ａに沿った位置まで延在し、上方へはカップ本体１１の脇側端縁１１ｃに沿いながら上端１１ｄより肩紐１７の方向へ突出した形状よりなる。
【００２５】
分離カップ１４の裏側には、図３に概略的に示すように、上側部、即ち、バストトップＴから下ろした垂線に対して脇側へ４５°間隔をあけてカップ本体１１の下辺１１ａに下ろしたラインＬ１上のバストトップＴからカップ本体１１の下辺１１ａまでの寸法を３等分したカップ下部中央部Ａを通る位置に、パワーネット１５を取り付けて強パワー弾性部１４Ａを形成し、下側部はパワーをもたせず強パワー弾性部に追従できる伸縮性部１４Ｂとしている。
【００２６】
詳しくは、強パワー弾性部１４Ａは、カップ本体１１の下端点１１ｂよりも前部正面側の下辺１１ａから、カップ下部中央部Ａを通ってカップ本体１１の脇側端縁１１ｃおよび肩紐１７に向かって斜上向きに配置された帯形状よりなる。この強パワー弾性部１４Ａは、図５に示すバスト下部中間領域Ａ’に当たり、伸縮性部１４Ｂはバスト底部Ｂ’に当たる構成としている。また、強パワー弾性部１４の前記パワーネット１５は、図３中矢印に示す斜方向に伸縮性を有するように配置されている。
【００２７】
構成の分離カップ１４はカップ本体１１の表側に縫着しているが、このとき、分離カップ１４の前端縁１４ａがカップ本体１１の下端点１１ｂよりも前部正面側の下辺１１ａに縫着されるように、下辺１４ｂおよび脇側端縁１４ｃをカップ本体１１の下辺１１ａと脇側端縁１１ｃに沿って一体に縫着している。また、分離カップ１４の上端部１４ｅは、カップ１１の脇側端縁１１ｃの上端１１ｄより突出させて肩紐１７の前端部に縫着し、分離カップ１４の上辺１４ｄはいずれとも縫着せず遊離させている。
【００２８】
前記のように分離カップ１４を縫着したカップ本体１１の下辺１１ａには、表側に飾りレースを取り付けた表裏２枚合わせの左右の土台布１６を縫着し、この左右の土台布１６を前中心線で互いに縫着して左右のカップ本体１１を連結している。このカップ本体１１と土台布１６および後述の背面布１８とを縫着した左右のカップ部下辺縫着部Ｈ１に沿った裏側には、図２に示すように、芯材１９を収容した芯材封入布２０をそれぞれ縫着し、左右の土台布１６を縫着した前中心縫着部Ｈ２の裏側には補強テープ２１を縫着している。また、前記肌側カップ布１２の正面側布１２ｂと脇側布１２ｃとの縫着部Ｈ３と、さらに上側布１２ａとの縫着部Ｈ４のそれぞれの裏側にも補強テープ２２を縫着している。
【００２９】
前記のように縫着された左右の土台布１６の左右の脇側端縁１６ｂと、該脇側端縁１６ｂに連続するカップ本体１１の下辺１１ａの左右の脇側部１１ｅには、背面布１８を縫着し、土台布１６と背面布１８との脇側縫着部Ｈ５の裏側には補強テープ２３を縫着している。この左右一対の背面布１８は背面側中央で相対し、それぞれの後端部に取り付けた留め具２４ａ、２４ｂで着脱自在に連結する構成としている。
【００３０】
また、左右のカップ本体１１より上方に突出した分離カップ１４の上端部１４ｅから左右の背面布１８の上辺１８ａにかけて、長さ調節可能な左右一対の肩紐１７を取り付けている。さらに、分離カップ１４の上端部１４ｅから脇側端縁１４ｃと、カップ本体１１の脇側端縁１１ｃから背面布１８の上辺１８ａにかけては、裏面側に伸縮性のある縁テープ２５を連続的に縫着している。同様に、左右の土台布１６の下辺１６ａ近傍を通って左右背面布１８の下辺１８ｂにかけては、裏面側に伸縮性のある縁テープ２６を連続的に縫着している。なお、カップ本体１１の上辺１１ｆに沿った裏側には、伸縮性のない縁テープ２７を縫着している。
【００３１】
前記構成からなるブラジャー１０では、図４（Ａ）（Ｂ）および図５に示すように、肩紐１７が直接的に引っ張り上げる分離カップ１４の強パワー弾性部１４Ａでバスト下部中間領域Ａ’を脇側から中央寄りへと強く寄せ上げ、バストトップＴ’をＴ”の位置に効率良く引き上げると共に前側に寄せることができる。一方、バスト全体の重力は主としたカップ本体１１が受け、該カップ本体１１に分離カップ１４の伸縮性部１４Ｂが当たっているだけであるため、該伸縮性部１４Ｂには大きな負荷がかからず、分離カップ１４の強パワー弾性部１４Ａはカップ本体１１から独立して機能することができる。
従って、肩紐１７には、主にバスト下部中間領域Ａ’を引き上げる力はかかるが、バスト底部Ｂ’を引き上げる力は主としてカップ本体１１が受けるため、バストを根元から持ち上げ補整する場合に比して肩紐１７にかかる引っ張り力を軽減することができる。  
【００３２】
図６は第一実施形態の変形例にかかるブラジャー１０であって、分離カップ１４に形成する強パワー弾性部１４Ａは第一実施形態よりも脇側に寄せて、バストトップＴの真下位置から脇側上端にかけて斜め直線状に配置している。この場合は、バストトップの下部位置から、特に脇側に逃げやすいバストの肉を、肩紐と連結した分離カップ１４により効率よく前側に寄せると共に引き上げることができる。
【００３３】
図７は本発明の第二実施形態にかかるブラジャー１０を示す。
カップ本体１１の外面側に取り付ける分離カップ１４０を、前記カップ下部中央部Ａを通る位置に配置する強パワー弾性部１４０Ａのみで形成している点で前記第一実施形態と相違するが、その他の点では第一実施形態と同一であるため同一符号を付して説明を省略する。
【００３４】
前記分離カップ１４０はパワーの強いストレッチレースで形成され、カップ本体１１の下部中央部Ａを通り前部正面側から脇側へと斜上向きに湾曲させて覆うように配置されている。この分離カップ１４０は、脇側端縁１４０ｃをカップ本体１１の脇側端縁１１ｃに縫着するとともにカップ本体１１より上方に突出させて上端部１４０ｅを肩紐１７と縫着し、また、前端縁１４０ａをカップ本体１１の下端点１１ｂよりも正面側の下辺１１ａと縫着しているが、下辺１４０ｂと上辺１４０ｄはカップ本体１１に縫着せず遊離させている。
【００３５】
前記第二実施形態の構成とすると、肩紐１７が引き上げる前記分離カップ１４０は、バスト底部Ｂ’を持ち上げることなく、バストアップ補整に効果的なバスト下部中間領域Ａ’のみを持ち上げると共に前側に寄せるため、肩紐１７に余分な負担をかけることなく効率よく美しいバストラインを形成することができる。
【００３６】
図８は本発明の第二実施形態の変形例のブラジャー１０を示し、強パワー弾性部のみからなる分離カップ１４１をカップ本体１１の内面側に取り付けている。その他の点は第二実施形態と同一であるため同一符号を付して説明を省略する。
このように、パワーの強い分離カップ１４１をカップ本体１１の内面側に取り付けた場合でも、該分離カップ１４１が、バスト底部Ｂ’からではなくバスト下部中間領域Ａ’を押し上げて、肩への負担も少なく効率よくバストアップ補整することができるとともに、分離カップ１４１のラインがアウターに露出することを防止できる。
【００３７】
図９は本発明の第三実施形態を示し、バストを覆うカップ本体１１の外面にストレッチレースからなる装飾布１００を取り付け、該装飾布１００はパワーを切り替えている。
該装飾布１００の下辺をカップ本体１１の下辺に縫着し、該装飾布１００にバストトップからカップ本体１１の下辺までの領域の上下方向の中間領域でカップの前部正面側から脇側へと斜上向きに湾曲させた位置（図中、斜線でしめす）に、他の部位よりも強パワー弾性部１００Ａを形成し、該強パワー弾性部１００Ａを肩紐に連結している。該強パワー弾性部１００Ａを挟む上下領域は弱パワー弾性部１００Ｂ、１００Ｃとしている。
第一実施形態と同様な部分は同一符号を付す。
【００３８】
即ち、第三実施形態では、バストトップ下部を効率的に引き上げる分離カップの役割を、装飾布１００のパワーを切り替えることよに行っている。
該構成とすると、分離カップを別途設ける必要がなく、ブラジャーの厚みが大とならず、かつ、コスト低減もはかれる。                    
【産業上の利用可能性】
【００３９】
本発明は、実施形態に記載したブラジャーとしても最も効果的に用いることができるが、ボディースーツ、ブラジャー付きスリップ等のカップ部を有する衣類であれば、適用できる。
【図面の簡単な説明】
【００４０】
【図１】本発明の第１実施形態に係るブラジャーの正面図である。
【図２】図１に示すブラジャーの裏面図である。
【図３】図１に示すブラジャーの要部拡大概略図である。
【図４】図１に示すブラジャーの着用時の状態を示し、（Ａ）が正面図であり、（Ｂ）が側面図である。
【図５】分離カップの作用を示す概略図である。
【図６】第一実施形態の変形例を示すブラジャーの正面図である。
【図７】本発明の第二実施形態に係るブラジャーの正面図である。
【図８】第二実施形態の変形例を示すブラジャーの裏面図である。
【図９】第三実施形態のブラジャーの正面図である。
【図１０】従来例の図である。
【図１１】他の従来例の図である。
【符号の説明】
【００４１】
１０  ブラジャー
１１  カップ部
１１ａ  下辺
１４、１４０、１４１  分離カップ
１４Ａ、１４０Ａ、１４１Ａ  強パワー弾性部
１４Ｂ  伸縮性部
１５  パワーネット
１７  肩紐
１００  パワーが切り替えられている装飾布
Ａ  カップ下部中央部
Ｂ  下側部
Ａ’  バスト下部中間領域
Ｂ’  バスト底部
【図１】
2005281920.tif 000003
【図２】
2005281920.tif 000004
【図３】
2005281920.tif 000005
【図４】
2005281920.tif 000006
【図５】
2005281920.tif 000007
【図６】
2005281920.tif 000008
【図７】
2005281920.tif 000009
【図８】
2005281920.tif 000010
【図９】
2005281920.tif 000011
【図１０】
2005281920.tif 000012
【図１１】
2005281920.tif 000013